(57)【特許請求の範囲】
【請求項１】
重ね合わせると所望の情報として復号され、認識され得る暗号化情報を内在する情報記録媒体であり、少なくとも一つの暗号化情報は第１の基材の暗号化情報形成部に設けてあり、他の暗号化情報の少なくとも一つの暗号化情報は第２の基材の暗号化情報形成部に設けてあると共に、第２の基材はその暗号化情報形成部が第１の基材の暗号化情報形成部を覆うように、かつ所望の情報が復号されないように見当を僅かにずらせて、しかも一旦剥離すると復元不可能な状態で第１の基材に貼着してあることを特徴とする情報記録媒体。
【請求項２】
基材の暗号化情報形成部の少なくとも一つは情報を復号させる際にその下部に位置させた暗号化情報が確認できる程度の透明性を有することを特徴とする請求項１に記載の情報記録媒体。
【請求項３】
暗号化情報は黒色で、所望の情報を復号させる際に下部に位置させる暗号化情報は白色の隠蔽層上に設けてあることを特徴とする請求項１ないし請求項２に記載の情報記録媒体。
【請求項４】
所望の情報を復号させる際に下部に位置させる暗号化情報はその上部に位置させる暗号化情報の情報記録材料よりも反射率の高いもので形成してあることを特徴とする請求項１ないし請求項３に記載の情報記録媒体。
【請求項５】
第２の基材はそこに形成してある暗号化情報が第１の基材に形成してある暗号化情報の半分以上を覆っていることを特徴とする請求項１ないし請求項４に記載の情報記録媒体。
【請求項６】
第２の基材は脆性シールにより第１の基材に貼着してあることを特徴とする請求項１ないし請求項５に記載の情報記録媒体。
【発明の詳細な説明】
【０００１】
【発明の属する技術分野】
本発明は、抽選情報、暗証番号、個人情報等の関係者以外には知られたくない情報が暗号化して記録してある情報記録媒体であり、更に詳しくは複写機で複写してもそこに内在する暗号化情報がそのままでは再現されることのないようにした抽選券、個人情報記録カード等の情報記録媒体に関する。
【０００２】
【従来の技術】
従来より、抽選情報、暗証番号、個人情報等の関係者以外には知られたくない情報が記録してあるくじ、暗証番号申請書、個人情報記録カード等の情報記録媒体がある。これらの情報記録媒体には関係者が必要なときのみに情報の内容を確認できるようにしたり、複写物が容易に得られないようにする等の工夫が偽造防止や改竄防止の観点から種々成されており、様々な分野で利用されている。
【０００３】
これらの諸対策の中で複写機を利用した不正な複写や偽造への対策がある。一例として、情報記録媒体の情報を暗号化しておき、この暗号化情報を複写しても忠実に再現できないように淡色の情報記録材料で情報記録する方法がある。しかし、この方法では暗号化情報が淡色であるため、暗号化情報を重ね合わせて復号しようとしたときに顕現する情報が非常に認知しにくいという欠点がある。
また、所望の情報を復号させるとき、周辺に施してあるトンボ等のガイドで合わせることになるが、ガイドの色が淡いために見当合わせが難しいという欠点もある。
さらには、カラーコピー機で複写物を撮ると、感度が標準の条件なら、複写物は本物より淡くなり、複写されたものであることが分かってしまうが、複写機の感度を上げると濃い色に再現され、本物に非常に近いものとなってしまう。
【０００４】
また、複写機を使用した不正な複写や偽造への他の対策として、暗号化した情報を構成する画素のサイズを複写機が再現可能なサイズよりも小さいものとし、その集合である暗号化情報が複写再現できないようにした技術もある。
しかし、このような技術においては、暗号化情報を構成する画素が非常に小さいため、それらの集合体である暗号化情報の色が全体に薄くなり、暗号化情報を見当を合わせて重ね合わせたときに復号されるであろう情報の認知が非常にしずらいという欠点がある。
【０００５】
【発明が解決しようとする課題】
本発明は以上のような事情に鑑みなされたものであり、関係者以外には知られたくない情報を暗号化して内在させ、かつ関係者が必要としたときには簡便に復号してその情報内容が目視、確認できるようにしてある情報記録媒体であって、特に複写機で複写してもそこに内在する暗号化情報までもは再現されることがないようにした情報記録媒体の提供を目的とする。
【０００６】
【課題を解決するための手段】
本発明は、上述の目的を達成するためになされたものであり、請求項１の発明は、重ね合わせると所望の情報として復号され、認識され得る暗号化情報を内在する情報記録媒体であり、少なくとも一つの暗号化情報は第１の基材の暗号化情報形成部に設けてあり、他の暗号化情報の少なくとも一つの暗号化情報は第２の基材の暗号化情報形成部に設けてあると共に、第２の基材はその暗号化情報形成部が第１の基材の暗号化情報形成部を覆うように、かつ所望の情報が復号されないように見当を僅かにずらせて、しかも一旦剥離すると復元不可能な状態で第１の基材に貼着してあることを特徴とする情報記録媒体である。
【０００７】
また、請求項２の発明は、基材の暗号化情報形成部の少なくとも一つは情報を復号させる際にその下部に位置させた暗号化情報が確認できる程度の透明性を有することを特徴とする請求項１に記載の情報記録媒体である。
【０００８】
さらにまた、請求項３の発明は、暗号化情報は黒色で、所望の情報を復号させる際に下部に位置させる暗号化情報は白色の隠蔽層上に設けてあることを特徴とする請求項１ないし請求項２に記載の情報記録媒体である。
【０００９】
さらにまた、請求項４の発明は、所望の情報を復号させる際に下部に位置させる暗号化情報はその上部に位置させる暗号化情報の情報記録材料よりも反射率の高いもので形成してあることを特徴とする請求項１ないし請求項３に記載の情報記録媒体である。
【００１０】
さらにまた、請求項５の発明は、第２の基材はそこに形成してある暗号化情報が第１の基材に形成してある暗号化情報の半分以上を覆っていることを特徴とする請求項１ないし請求項４に記載の情報記録媒体である。
【００１１】
さらにまた、請求項６の発明は、第２の基材は脆性シールにより第１の基材に貼着してあることを特徴とする請求項１ないし請求項５に記載の情報記録媒体である。
【００１２】
【発明の実施の形態】
次に、本発明の実施の形態を説明するが、本発明はこれらに限定されるものではない。
【００１３】
図１には本発明の一実施形態による情報記録媒体１の概略が示してある。
また、図２には図１に示す情報記録媒体１を構成する各基材２、４の構成ならびに情報記録媒体１の製造の一過程がそれぞれ示してある。
一方、図３には情報記録媒体１を構成する各基材２、４の暗号化情報形成部３、５のそれぞれに設けた暗号化情報７、８とこれらの情報による所望の情報１１の復号の状況が示してある。
【００１４】
この情報記録媒体１は重ね合わせると所望の情報が復号され、認識され得る暗号化情報を内在しており、基本的には、少なくとも一つの暗号化情報７は第１の基材２の暗号化情報形成部３に設けてあり、他の暗号化情報の内の少なくとも一つの暗号化情報８は第２の基材４の暗号化情報形成部５に設けてある（図３参照）と共に、第２の基材４はその暗号化情報形成部５が第１の基材２の暗号化情報形成部３を覆うように、かつ所望の情報が復号されないように見当を僅かにずらして、しかも一旦剥離すると復元不可能な状態で第１の基材２に貼着部６で貼着してある（図１ならびに図２参照）。
【００１５】
ここで、図２は特に情報記録媒体１の製造の一過程を説明するためのものであり、第２の基材４に設けてある貼着部６や、第２の基材４を第１の基材２に貼着したときの様子を示す情報記録媒体１における暗号化情報形成部３は、実際には観察されないが、製造の過程が分かりやすいよう、この図中においては、これらを示す部分は引き出し線と共に破線で示してある。実際には、図１に示すように、第１の基材２の暗号情報形成部や第２の基材４の貼着部はその上部に重ね合わせた第２の基材４で隠されて観察されない。
【００１６】
一方、暗号化情報７と暗号化情報８は、図３に示すように、暗号化情報形成部５と暗号化情報形成部３のそれぞれに形成してある。これらの暗号化情報７、８とその周辺部には情報の内容が一見して認識できないように地紋、細紋等の迷彩情報９、１０が施してある。図３のａにおいては、拡大して模式的に表現してあるため、それぞれの暗号化情報７、８の内容を分かるように描いているが、実際に作成されるくじ等においては、例えば、迷彩情報を構成する細紋の個々の微細構成子を網点換算で２００乃至３００ｄｐｉ程度とし、迷彩情報ならびに暗号化情報の色相、明度、彩度等の組み合わせを適宜に選択すれば、それぞれの暗号化情報形成部においては図１や図２に示すように暗号化情報は認識されない。
【００１７】
第２の基材４を第１の基材２から剥離し、暗号化情報形成部３に暗号化情報形成部５を見当を合わせて重ね合わせた時のみ、図３のｂに示すように、「ＥＢ」という所期の情報１１が復号され、認識されるようになる。
【００１８】
一方、第２の基材４は、前述したように、その暗号化情報形成部５が第１の基材２の暗号化情報形成部３を覆うように、かつ所望の情報が復号されないように見当を僅かにずらせて（図１と図２に示す例では第１の基材４を見当合わせの位置より上部）、しかも一旦剥離すると復元不可能な状態で第１の基材２に貼着しておく。
【００１９】
この様な構成にしておけば、従来より複写機を利用した不正な複写への対策として、暗号化した情報を複写しても忠実に複写・再現できないように淡色の情報記録材料を使用したり、暗号化した情報を構成する画素のサイズを複写機が再現不可能なサイズよりも小さいものに設定すること等が行われていたが、本発明においては必ずしもこの様な対策を暗号化情報に施しておく必要はない。
【００２０】
貼着の方法としては、図２に示すように、接着剤から成る貼着部６で強固に貼着する方法、あるいは図４に示すように、脆弱な基体に粘着剤を塗布した脆性シールや破壊を促進するための切り込みを入れた封印シール等から成る貼着部１６で貼着する方法等が適用できる。これらの貼着方法により第２の基材４を第１の基材２に一旦剥離すると復元不可能な状態で貼着する。
【００２１】
この様な構成にしておけば、所望の情報を復号してその内容を確認するときには必ずその痕跡が残ることになる。すなわち、第三者が事前に内在されている情報を知ろうとして、或いは不正な目的をもってこの情報記録媒体を複写、複製しようとする場合には、一旦第２の基材４を剥離しなければならないため、剥離時に第１の基材２や第２の基材４が部分的に破壊したり、シールが分断するので、上述のような不正操作をした場合にはその痕跡が貼着部近辺に残ることになる。
【００２２】
一方、基材の暗号化情報形成部の少なくとも一方は情報を復号させる際に下部に位置させた暗号化情報が確認できる程度の透明性を有する必要がある。従って、基材としては透明もしくは半透明のポリエステル、塩化ビニル、ポリプロピレン等から成るプラスチックフィルム、あるいは暗号化形成部を部分的に透明化あるいは半透明化した合成紙、トレーシングペーパー等が適用される。その厚さは５０〜２００ミクロンメートル程度の適度の剛性と折り曲げ特性を持つものである。
【００２３】
また、暗号化情報７と暗号化情報８の上およびその周辺にはそれらの存在および内容をより分からなくするように、地紋や細紋等の微細構成子から成る迷彩情報９、１０を設けておくことが望ましい。これらの各情報を形成する情報記録材料や情報の記録方法は特に限定されるものではなく、たとえば印刷インキや感熱記録インキ等の情報記録材料や、オフセット印刷、シルク印刷、グラビア印刷、感熱記録等の汎用の情報形成手段から適宜なものを選択すればよい。
【００２４】
暗号化情報の記録に際しては、暗号化情報は黒色とし、所望の情報を復号させる際に下部に位置させる暗号化情報は白色の隠蔽層上に設けておくことが好ましい。このような構成にしておくと、復号された情報が高いコントラストでより明確に認識できるようになる。
【００２５】
また、所望情報の復号がより明瞭に認識できるよう、暗号化情報の重ね合わせ時に下部に位置するようになる暗号化情報の方をを反射率の高い情報記録材料で形成するようにしてもよい。
【００２６】
所望の情報を復号させる際の基材の重ね合わせ順は特に限定されるものではない。従って、上記した隠蔽層や反射率の高い情報記録材から成る暗号化情報の形成、さらには暗号化情報形成部における下部情報に対する視認性（透明性）への配慮等は、情報復号時の基材の重ね合わせの順番を考慮して適宜選択すればよい。
【００２７】
【発明の効果】
本発明は以上であるので、第２の基材を第１の基材から剥離し、暗号化情報形成部同士を見当をあわせて重ね合わせるだけの簡単な操作で暗号化情報の復号が可能となる。
また、複写機により不正に複写物を得ようとしたり、不正に内在する情報を確認しようとする場合には、どうしても第２の基材を第１の基材から剥離しなければならなくなるが、その場合には第２の基材を剥離したときの痕跡が貼着部近辺に必ず残ることになり、不正操作の有無がその痕跡の存在で確認できるようになる。
【図面の簡単な説明】
【図１】本発明の一実施形態による説明図である。
【図２】図１に示す情報記録媒体の構成ならびに製造の一過程を示す説明図である。
【図３】暗号化情報と暗号化情報による復号の状況を示す説明図である。
【図４】本発明の他の実施形態による説明図である。
【符号の説明】
１、２１            情報記録媒体
２                  第１の基材
３、５              暗号化情報形成部
４                  第２の基材
６、１６            貼着部
７、８              暗号化情報
９、１０            迷彩情報
１１                情報
【図１】
0003826692.tif 000002
【図２】
0003826692.tif 000003
【図３】
0003826692.tif 000004
【図４】
0003826692.tif 000005